【手続補正書】
【提出日】平成25年5月24日(2013.5.24)
【手続補正１】
【補正対象書類名】特許請求の範囲
【補正対象項目名】全文
【補正方法】変更
【補正の内容】
【特許請求の範囲】
【請求項１】
広告からなるオンライン広告キャンペーンの有効性を評価するコンピュータによって実行される方法であって、前記広告キャンペーンがオンラインシステムの１組のメンバーに提示されるものであり、
前記メンバーの組の各メンバーを、該メンバーに提示可能な１つまたは複数の広告と関連付けるステップと、
前記オンラインシステムにアクセスしているメンバーを検出することに応じて、
前記メンバーに関連付けられた広告を選択し、
前記メンバーがメンバーのサンプル組に属しているのか、または、メンバーの制御組に属しているのかを判定し、
前記メンバーが前記制御組に属していることに応じて前記メンバーに対する前記広告の提示を差し控え、
前記メンバーが前記サンプル組に属していることに応じて前記メンバーに対して前記広告を提示する、ことを行うステップと、
前記制御組のメンバーおよび前記サンプル組のメンバーから受け取った情報に基づいて、前記広告キャンペーンの有効性指標を求めるステップと、
を具備した方法。
【請求項２】
前記広告キャンペーンの有効性指標を求める前記ステップが、
前記メンバーが前記オンラインシステムにアクセスしている間に、前記サンプル組および前記制御組に属しているメンバーに質問を提示するステップと、
前記質問に対する回答を含む応答を前記メンバーから受け取るステップとを含み、前記回答は前記広告の有効性を示す、
ことを特徴とする請求項１に記載の方法。
【請求項３】
前記質問に対する回答は、前記広告の対象に対する認知度を示すものである請求項２に記載の方法。
【請求項４】
前記質問に対する回答は、前記広告の対象に対する好感度を示すものである請求項２に記載の方法。
【請求項５】
前記メンバーがメンバーのサンプル組に属しているのか、または、メンバーの制御組に属しているのかを判定することが、少なくとも前記メンバーに関連付けられたメンバーＩＤに基づいてハッシュ値を算出することからなる請求項１に記載の方法。
【請求項６】
所定の時間インターバル内において、所定回数、前記制御組のあるメンバーに対する広告が差し控えられ、前記広告が、前記所定の時間インターバル内において、前記所定回数、前記サンプル組および前記制御組の一方のメンバーに提示される請求項１に記載の方法。
【請求項７】
前記メンバーの組が、メンバーの属性に基づいて決定される請求項１に記載の方法。
【請求項８】
前記メンバーの組が、メンバーの人口統計学的情報に基づいて決定される請求項１に記載の方法。
【請求項９】
前記メンバーの組が、メンバーの興味に基づいて決定される請求項１に記載の方法。
【請求項１０】
前記メンバーの組が、メンバーの所属に基づいて決定される請求項１に記載の方法。
【請求項１１】
前記メンバーの組が、メンバーの前記オンラインシステム内における前記メンバーの活動に基づいて決定される請求項１に記載の方法。
【請求項１２】
前記広告キャンペーンの有効性指標を求めるステップが、前記広告の対象に対するメンバーの好感度の上昇を算出することからなる請求項１に記載の方法。
【請求項１３】
メンバーは、該メンバーが登録されたアカウントと、該メンバーの属性を記憶したプロフィールとを有し、前記属性は該メンバーの人口統計学的情報を含む請求項１に記載の方法。
【請求項１４】
メンバーは該メンバーの属性を記憶したプロフィールと関連付けられており、前記属性は、該メンバーの前記オンラインシステム内における活動の履歴情報を含む請求項１に記載の方法。
【請求項１５】
広告からなるオンライン広告キャンペーンの有効性を評価するコンピュータによって実現可能なシステムであって、前記広告キャンペーンがオンラインシステムの１組のメンバーに提示されるものであり、
コンピュータプロセッサと、
前記コンピュータプロセッサで実行されるコンピュータプログラムモジュールを記憶したコンピュータによって読み取り可能な記憶媒体であって、前記コンピュータプログラムモジュールは、
前記メンバーの組の各メンバーを、該メンバーに提示可能な１つまたは複数の広告と関連付けるよう構成された広告セレクタモジュールと、
前記メンバーに関連付けられた広告を選択し、
前記メンバーがメンバーのサンプル組に属しているのか、または、メンバーの制御組に属しているのかを判定し、
前記メンバーが前記制御組に属していることに応じて、前記広告を前記メンバーに提示することを差し控え、
前記メンバーが前記サンプル組に属していることに応じて、前記広告をメンバーに提示する、よう構成された広告サーバモジュールと、
前記制御組のメンバーおよび前記サンプル組のメンバーから受け取った情報に基づいて、前記広告キャンペーンの有効性指標を求めるよう構成されたポールアナライザモジュールと、
を具備したシステム。
【請求項１６】
前記広告キャンペーンの有効性指標を求めることが、
メンバーが前記オンラインシステムにアクセスしている間に、前記サンプル組および前記制御組の一方に属している前記メンバーに質問を提示することと、
前記質問に対する回答を含む応答を前記メンバーから受け取ることであって、前記回答は前記広告の有効性を示すものと、
を含む請求項１５に記載のシステム。
【請求項１７】
前記質問に対する回答は、前記広告の対象に対する認知度を示すものである請求項１６に記載のシステム。
【請求項１８】
前記質問に対する回答は、前記広告の対象に対する好感度を示すものである請求項１６に記載のシステム。
【請求項１９】
前記メンバーがメンバーのサンプル組に属しているのか、または、メンバーの制御組に属しているのかを判定することが、少なくとも前記メンバーに関連付けられたメンバーＩＤに基づいてハッシュ値を算出することからなる請求項１５に記載のシステム。
【請求項２０】
前記メンバーの組が、メンバーの人口統計学的情報に基づいて決定される請求項１５に記載のシステム。
【請求項２１】
前記メンバーの組が、メンバーの属性に基づいて決定される請求項１５に記載のシステム。
【請求項２２】
前記メンバーの組が、メンバーの興味に基づいて決定される請求項１５に記載のシステム。
【請求項２３】
前記メンバーの組が、メンバーの所属に基づいて決定される請求項１５に記載のシステム。
【請求項２４】
前記メンバーの組が、メンバーの前記オンラインシステム内におけるメンバーの活動に基づいて決定される請求項１５に記載のシステム。
【請求項２５】
前記広告キャンペーンの有効性指標を求めることが、前記広告の対象に対するメンバーの好感度の上昇を算出することからなる請求項１５に記載のシステム。
【請求項２６】
メンバーは、該メンバーが登録されたアカウントと、該メンバーの属性を記憶したプロフィールとを有し、前記属性は該メンバーの人口統計学的情報を含む請求項１５に記載のシステム。
【請求項２７】
メンバーは該メンバーの属性を記憶したプロフィールと関連付けられており、前記属性は、該メンバーの前記オンラインシステム内における活動の履歴情報を含む請求項１５に記載のシステム。
【請求項２８】
広告からなるオンライン広告キャンペーンの有効性を評価するコンピュータによって実現可能な方法であって、前記広告キャンペーンがウェブサイトの１組のメンバーに提示されるものであり、
前記メンバーの組の各メンバーを、該メンバーに提示可能な１つまたは複数の広告と関連付けるステップと、
前記ウェブサイトとインタラクトしているメンバーに提示すべき広告を決めるリクエストを受け取るステップと、
前記メンバーに関連付けられた広告を選択するステップと、
前記メンバーがメンバーのサンプル組に属しているのか、または、メンバーの制御組に属しているのかを判定するステップと、
前記メンバーが前記制御組に属していることに応じて、前記メンバーに対する前記広告の提示を差し控えるステップと、
前記メンバーが前記サンプル組に属していることに応じて、前記広告で前記リクエストに応じるステップと、
前記制御組のメンバーおよび前記サンプル組のメンバーから受け取った情報に基づいて、前記広告キャンペーンの有効性指標を求めるステップと、
を具備した方法。
【請求項２９】
広告からなるオンライン広告キャンペーンの有効性を評価するコンピュータによって実現可能な方法であって、前記広告キャンペーンがオンラインシステムの１組のメンバーに提示されるものであり、
前記広告キャンペーンに属する広告の第１の組と、前記広告キャンペーンに属する広告の第２の組とを決定するステップと、
前記メンバーの組の各メンバーを、該メンバーに提示可能な１つまたは複数の広告と関連付けるステップと、
前記オンラインシステムにアクセスしているメンバーを検出することに応じて、
前記メンバーに関連付けられた広告を選択し、
前記メンバーがメンバーの第１の実験組、メンバーの第２の実験組およびメンバーの制御組のうちの１つに属しているのかを判定し、
前記メンバーが前記第１の実験組に属していることに応じて前記広告の第１の組からの広告を前記メンバーに提示し、
前記メンバーが前記制御組に属していることに応じて前記広告の前記メンバーに対する提示を差し控える、ことを行うステップと、
前記メンバーの第１の実験組、前記第２の実験組および/または制御組に属するメンバーから受け取った情報に基づいて、前記広告キャンペーンの有効性指標を求めるステップと、
を具備した方法。
【請求項３０】
広告からなるオンライン広告キャンペーンの有効性を評価するコンピュータによって実現可能な方法であって、前記広告キャンペーンがオンラインシステムの１組のメンバーに提示されるものであり、
前記広告キャンペーンの広告の提示に関連したパラメータ、および、該パラメータの第１のパラメータ値と第２のパラメータ値を決定するステップと、
前記メンバーの組の各メンバーを、該メンバーに提示可能な１つまたは複数の広告と関連付けるステップと、
前記オンラインシステムにアクセスしているメンバーを検出することに応じて、
前記メンバーに関連付けられた広告を選択し、
前記メンバーがメンバーの第１の実験組、メンバーの第２の実験組およびメンバーの制御組のうちの１つに属しているのかを判定し、
前記メンバーが前記第１の実験組に属していることに応じて前記第１のパラメータ値に基づいて前記メンバーに広告を提示し、
前記メンバーが前記第２の実験組に属していることに応じて前記第２のパラメータ値に基づいて前記メンバーに広告を提示し、
前記メンバーが前記制御組に属していることに応じて前記広告の前記メンバーに対する提示を差し控える、ことを行うステップと、
前記メンバーの第１の実験組、前記第２の実験組および/または制御組に属するメンバーから受け取った情報に基づいて、前記広告キャンペーンの有効性指標を求めるステップと、
を具備した方法。
【請求項３１】
パラメータは、前記広告がメンバーに提示される期間を決定するものである請求項３０に記載の方法。
【請求項３２】
パラメータは、複数の異なる広告が前記メンバーに提示される順序を決定するものである請求項３０に記載の方法。
【請求項３３】
パラメータは、前記広告を表示するために使用されるユーザインターフェースにおける前記広告の位置を決定するものである請求項３０に記載の方法。
【請求項３４】
パラメータは、前記広告についてメンバーによって提供されたコメントが前記広告と共に提示されるか否かを決定する請求項３０に記載の方法。
【請求項３５】
前記広告に関してメンバーによって生成されたコンテンツが前記広告と共に提示されるか否かを決定する請求項３０に記載の方法。
【請求項３６】
前記広告キャンペーンの有効性指標を求めるステップが、
メンバーが前記オンラインシステムにアクセスしている間に、前記サンプル組および前記制御組の一方に属している前記メンバーに質問を提示するステップと、
前記質問に対する回答を含む応答を前記メンバーから受け取るステップとを含み、前記回答は前記広告の有効性を示す、
ことを特徴とする請求項３６に記載の方法。
【請求項３７】
前記質問に対する回答は、前記広告の対象に対する認知度を示すものである請求項３６に記載の方法。
【請求項３８】
前記質問に対する回答は、前記広告の対象に対する好感度を示すものである請求項３６に記載の方法。
【請求項３９】
前記メンバーがメンバーの第１の実験組、メンバーの第２の実験組およびメンバーの制御組のうちの１つに属しているのかを判定することが、少なくとも前記メンバーに関連付けられたメンバーＩＤに基づいてハッシュ値を算出することからなる請求項３０に記載の方法。
【請求項４０】
前記メンバーの組が、メンバーの属性に基づいて決定される請求項３０に記載の方法。
【請求項４１】
前記メンバーの組が、メンバーの人口統計学的情報に基づいて決定される請求項３０に記載の方法。
【請求項４２】
前記メンバーの組が、メンバーの興味に基づいて決定される請求項３０に記載のシステム。
【請求項４３】
前記広告キャンペーンの有効性指標を求めるステップが、前記広告の対象に対するメンバーの好感度の上昇を算出することからなる請求項３０に記載のシステム。
【請求項４４】
前記メンバーの組が、前記メンバーの所属に基づいて決定される請求項３０に記載の方法。
【請求項４５】
前記メンバーの組が、前記メンバーの前記オンラインシステム内におけるメンバーの活動に基づいて決定される請求項３０に記載の方法。
【請求項４６】
前記広告キャンペーンの有効性指標を求めるステップが、前記広告の対象に対するメンバーの好感度の上昇を算出することからなる請求項３０に記載の方法。